(57)【要約】  本発明に係る監視支援装置は、再生部と履歴記憶部とを備える。再生部は、映像データが表す映像の時間に対する変化量に基づいて発生している期間を判定されるイベントが監視者に選択された場合に、イベントを識別するイベント識別情報のうち監視者に選択されたイベントのイベント識別情報に基づいて、当該イベント識別情報と関連付けて記憶され且つ当該イベントが発生している期間に対応する映像データの部分を、受信した映像データが表す映像を表示する表示装置に送信する。履歴記憶部は、イベントが発生している期間に対応する映像データの部分を再生部が表示装置に送信したか否かを表す情報を含む監視支援データを、当該イベントのイベント識別情報と関連付けて記憶する。これによって、監視支援装置は、監視者による確認作業の対象の単位となる部分ごとに映像データを細分化することなく、当該部分ごとに確認作業の実績の情報を記憶できる。
2019053894.tif 000002
【特許請求の範囲】
【請求項１】
映像データが表す映像の時間に対する変化量に基づいて発生している期間を判定されるイベントが監視者に選択された場合に、イベントを識別するイベント識別情報のうち監視者に選択されたイベントのイベント識別情報に基づいて、当該イベント識別情報と関連付けて記憶された前記映像データの部分であり且つ当該イベントが発生している期間に対応する前記映像データの部分を、受信した映像データが表す映像を表示する表示装置に送信する再生部と、
イベントが発生している期間に対応する前記映像データの部分を再生部が前記表示装置に送信したか否かを表す情報を含む監視支援データを、当該イベントのイベント識別情報と関連付けて記憶する履歴記憶部と、
を備える監視支援装置。
【請求項２】
前記履歴記憶部は、イベントに対して監視者により行われた目視による確認作業の結果の情報を、当該イベントのイベント識別情報と関連付けて記憶される監視支援データに含めて記憶する請求項１に記載の監視支援装置。
【請求項３】
前記変化量を算出し、前記変化量に基づいてイベントが発生している期間を判定する判定部と、
前記判定部が判定した期間に対応する前記映像データの部分を特定する情報を、当該イベントのイベント識別情報と関連付けて記憶するイベント記憶部と、
を備える請求項１または請求項２に記載の監視支援装置。
【請求項４】
前記判定部は、前記変化量が予め設定された値より大きくなった時点をイベントが発生している期間の開始時点と判定する請求項３に記載の監視支援装置。
【請求項５】
前記判定部は、前記変化量が予め設定された値より小さくなった時点をイベントが発生している期間の終了時点と判定する請求項３または請求項４に記載の監視支援装置。
【請求項６】
前記判定部は、前記映像の予め設定された指定領域について前記変化量を算出する請求項３から請求項５のいずれか一項に記載の監視支援装置。
【請求項７】
前記再生部は、イベントが発生している期間に対応する前記映像データの部分が表す映像の前記指定領域に対応する位置に、当該イベントに対応する監視補助表示を重ねた映像を表す映像データを、前記表示装置に送信する請求項６に記載の監視支援装置。
【請求項８】
前記再生部は、前記監視支援データに基づいて前記監視補助表示の形態を変える請求項７に記載の監視支援装置。
【請求項９】
監視者に選択された一つまたは複数のイベントが発生している期間をすべて含む期間に対応する前記映像データの部分をダイジェスト映像データとして結合させるダイジェスト映像処理部、
を備える請求項１から請求項８のいずれか一項に記載の監視支援装置。
【請求項１０】
前記再生部は、映像記憶装置に記憶された映像データが表す映像において発生しているイベントのうち監視者に選択されたイベントのイベント識別情報に基づいて、当該イベント識別情報と関連付けて記憶された当該映像データの部分であり且つ当該イベントが発生している期間に対応する当該映像データの部分を前記表示装置に送信し、
前記ダイジェスト映像処理部は、前記ダイジェスト映像データが表す映像の開始時点から終了時点までを含む期間に対応する前記映像データの部分を、前記映像記憶装置から削除する請求項９に記載の監視支援装置。
【請求項１１】
ダイジェスト映像データに、イベントのイベント識別情報と、当該イベントが発生している期間に対応する当該ダイジェスト映像データの部分を特定する情報と、当該イベント識別情報に関連付けて前記履歴記憶部に記憶されている監視支援データと、を関連付けて記憶するダイジェスト映像記憶部を備える請求項９または請求項１０に記載の監視支援装置。
【請求項１２】
受信した映像データが表す映像を表示する表示装置と、
映像データが表す映像の時間に対する変化量に基づいて発生している期間を判定されるイベントが監視者に選択された場合にイベントを識別するイベント識別情報のうち監視者に選択されたイベントのイベント識別情報に基づいて当該イベント識別情報と関連付けて記憶された前記映像データの部分であり且つ当該イベントが発生している期間に対応する前記映像データの部分を前記表示装置に送信し、イベントが発生している期間に対応する前記映像データの部分を前記表示装置に送信したか否かを表す情報を含む監視支援データを当該イベントのイベント識別情報と関連付けて記憶する監視支援装置と、
を備える監視支援システム。
【発明の詳細な説明】
【技術分野】
【０００１】
本発明は、監視支援装置と監視支援システムとに関する。
【背景技術】
【０００２】
特許文献１は、監視支援システムの例を開示する。監視支援システムは、監視支援装置を備える。監視支援装置は、映像データが表す映像の中の物体の移動量を算出する。監視支援装置は、算出した移動量が設定された値より大きい場合に、映像データの対応する部分を抽出する。表示装置は、抽出された映像データの部分が表す映像を、監視者の選択に基づいて表示する。監視者は、表示装置に表示された映像を対象として目視による確認作業を行う。
【先行技術文献】
【特許文献】
【０００３】
【特許文献１】日本特開２００４−２５４１４１号公報
【発明の概要】
【発明が解決しようとする課題】
【０００４】
しかしながら、特許文献１で開示される監視支援装置は、映像データのファイル単位で確認作業の実績の情報を管理する。このため、監視者による確認作業の対象の単位となる部分ごとに確認作業の実績の情報を記憶するために、当該部分ごとに映像データをファイルとして細分化する必要がある。【０００５】
本発明は、このような課題を解決するためになされた。本発明の目的は、監視者による確認作業の対象の単位となる部分ごとに映像データを細分化することなく、当該部分ごとに確認作業の実績の情報を記憶できる監視支援装置および監視支援システムを提供することである。
【課題を解決するための手段】
【０００６】
本発明に係る監視支援装置は、映像データが表す映像の時間に対する変化量に基づいて発生している期間を判定されるイベントが監視者に選択された場合にイベントを識別するイベント識別情報のうち監視者に選択されたイベントのイベント識別情報に基づいて当該イベント識別情報と関連付けて記憶された映像データの部分であり且つ当該イベントが発生している期間に対応する映像データの部分を受信した映像データが表す映像を表示する表示装置に送信する再生部と、イベントが発生している期間に対応する映像データの部分を再生部が表示装置に送信したか否かを表す情報を含む監視支援データを当該イベントのイベント識別情報と関連付けて記憶する履歴記憶部と、を備える。【０００７】
本発明に係る監視支援システムは、受信した映像データが表す映像を表示する表示装置と、映像データが表す映像の時間に対する変化量に基づいて発生している期間を判定されるイベントが監視者に選択された場合にイベントを識別するイベント識別情報のうち監視者に選択されたイベントのイベント識別情報に基づいて当該イベント識別情報と関連付けて記憶された映像データの部分であり且つ当該イベントが発生している期間に対応する映像データの部分を表示装置に送信し、イベントが発生している期間に対応する映像データの部分を表示装置に送信したか否かを表す情報を含む監視支援データを当該イベントのイベント識別情報と関連付けて記憶する監視支援装置と、を備える。
【発明の効果】
【０００８】
これらの発明によれば、監視支援装置は、監視者に選択されたイベントのイベント識別情報に基づいて当該イベント識別情報と関連付けて記憶された映像データの部分であり且つ当該イベントが発生している期間に対応する映像データの部分を表示装置に送信する。監視支援装置は、イベントが発生している期間に対応する映像データの部分を表示装置に送信したか否かを表す情報を含む監視支援データを当該イベントのイベント識別情報と関連付けて記憶する。これによって、監視支援装置は、監視者による確認作業の対象の単位となる部分ごとに映像データを細分化することなく、当該部分ごとに確認作業の実績の情報を記憶できる。
【図面の簡単な説明】
【０００９】
【図１】本発明の実施の形態１に係る監視支援システムを備える監視システムの全体構成を示すブロック図である。
【図２】本発明の実施の形態１に係る監視支援装置の構成を示すブロック図である。
【図３】本発明の実施の形態１に係る監視支援装置の主要部のハードウェア構成を示す図である。
【図４】本発明の実施の形態１に係る指定領域の設定画面の例を示す図である。
【図５】本発明の実施の形態１に係るイベント種別データの構造を示す図である。
【図６】本発明の実施の形態１に係るイベントデータの構造を示す図である。
【図７】本発明の実施の形態１に係る監視支援装置のイベントが発生している期間を判定する動作の例を示すフローチャートである。
【図８】本発明の実施の形態１に係るイベントの一覧を表示する画面の例を示す図である。
【図９】本発明の実施の形態１に係る監視支援データの構造を示す図である。
【図１０】本発明の実施の形態１に係る監視支援装置のイベントの一覧を作成する動作の例を示すフローチャートである。
【図１１】本発明の実施の形態１に係る表示装置が表示するイベントが発生している映像の画面の例を示す図である。
【図１２】本発明の実施の形態１に係る再生履歴データの構造を示す図である。
【図１３】本発明の実施の形態１に係る監視支援装置のイベントが発生している映像を表示装置に送信する動作の例を示すフローチャートである。
【図１４】本発明の実施の形態１に係る監視結果データの構造を示す図である。
【図１５】本発明の実施の形態１に係るダイジェスト映像データとして結合される期間の例を示す図である。
【図１６】本発明の実施の形態１に係る監視支援装置のダイジェスト映像データを作成する動作の例を示すフローチャートである。
【図１７】本発明の実施の形態１に係る監視者データの構造を示す図である。
【図１８】本発明の実施の形態１に係る表示装置が表示するイベントが発生している映像の画面の他の例を示す図である。
【図１９】本発明の実施の形態１に係る監視支援装置の連続再生機能の動作の例を示すフローチャートである。
【図２０】本発明の実施の形態１の変形例に係る監視支援装置の構成を示すブロック図である。
【図２１】本発明の実施の形態１の変形例に係る監視支援装置の構成を示すブロック図である。
【図２２】本発明の実施の形態１の変形例に係る監視支援装置の構成を示すブロック図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、本実施の形態に係る監視支援システムを備える監視システムの全体構成を示すブロック図である。
【００１２】
監視システム１は、監視対象場所の監視を行うためのシステムである。
【００１３】
監視対象場所は、遠隔で監視が行われる対象となる場所である。以下では、監視対象場所がエレベータのかごの中である場合を例として説明を行う。
【００１４】
映像データは、時間に対して変化する監視対象場所の状況を映像として記録したデータである。以下では、映像データは、一定時間の間隔を空けて撮影された画像を表すデータであるフレームの各々に、連続する番号が付された形式であるとして説明する。なお、本実施の形態は、映像データの具体的なデータの形式に限定されない。
【００１５】
映像データは、映像データの部分が元の映像データから取り出される。取り出された映像データの部分は、元の映像データと別の映像データである。
【００１６】
監視システム１は、複数の撮影装置２と、映像記憶装置３と、監視支援システム４とを備える。
【００１７】
撮影装置２は、監視対象場所の映像を撮影する装置である。撮影装置２は、例えばネットワークカメラである。撮影装置２は、撮影した映像を映像データとして、ネットワーク５を介して送信する。撮影装置２は、映像データを送信する前に映像データを符号化してもよい。
【００１８】
映像記憶装置３は、受信した映像データをファイルとして記憶する装置である。映像記憶装置３は、撮影装置２の各々から送信される映像データを受信する。映像記憶装置３は、例えばＮＡＳ（Ｎｅｔｗｏｒｋ  Ａｔｔａｃｈｅｄ  Ｓｔｏｒａｇｅ）である。
【００１９】
監視支援システム４は、監視対象場所の目視による確認作業を支援するシステムである。
【００２０】
監視支援システム４は、監視支援装置６と、監視端末７と、表示装置８と、入力装置９とを備える。
【００２１】
監視支援装置６および監視端末７は、ネットワーク５に接続している。表示装置８および入力装置９は、監視端末７に接続している。
【００２２】
監視支援装置６は、監視者の確認作業の実績の情報を表すデータによって、監視対象場所の目視による確認作業を支援する装置である。
【００２３】
監視支援装置６は、撮影装置２の各々から送信される映像データを受信する。監視支援装置６は、受信した映像データの各々を解析する。監視支援装置６は、解析した結果を確認用データとして送信する。
【００２４】
確認用データは、イベントが発生している映像を表す映像データを含む。
【００２５】
イベントは、映像データが表す映像の中において発生する事象である。イベントは、例えば、エレベータのかごの戸が開閉する事象、エレベータのかごに人が出入りする事象またはエレベータのかごに乗車している人が不自然な動きをしている事象である。
【００２６】
映像の変化量は、映像の変化を数値で表した量である。変化量は、変化量を算出する映像データと基準とする映像データとの差分に基づいて算出される。
【００２７】
監視端末７は、監視支援装置６から受信した確認用データに含まれる映像データを送信する。監視端末７は、例えばパーソナルコンピュータである。
【００２８】
表示装置８は、監視端末７から受信した映像データが表す映像を表示する装置である。表示装置８は、例えばディスプレイである。
【００２９】
入力装置９は、監視者による操作の入力を監視端末７に送信する装置である。入力装置９は、例えばキーボードまたはマウスである。監視端末７は、受信した入力を監視支援装置６に送信する。監視支援装置６は、受信した入力に基づいて動作する。
【００３０】
続いて、本実施の形態に係る監視支援装置６の構成について説明する。図２は、本実施の形態に係る監視支援装置の構成を示すブロック図である。ネットワーク５と監視端末７とは、本実施の形態においては主に装置の間の通信を仲介するものであるため、以降の図においては図示を省略している。
【００３１】
監視支援装置６は、判定部６０と、イベント記憶部６１と、再生部６２と、履歴記憶部６３と、履歴管理部６４と、ダイジェスト映像処理部６５と、ダイジェスト映像記憶部６６と、を備える。
【００３２】
判定部６０は、映像の時間に対する変化量に基づいてイベントが発生している期間を判定する。
【００３３】
判定部６０は、映像データを撮影装置２または映像記憶装置３から受信する。判定部６０は、映像データを撮影装置２から受信する場合は、映像記憶装置３において当該映像データのファイルが保存されるパスを取得する。判定部６０は、映像データを映像記憶装置３から受信する場合は、当該映像データのファイルが保存されているパスを取得する。映像データのファイルのパスは、映像データのファイルがある場所の情報の例である。
【００３４】
判定部６０は、受信した映像データを解析して、映像データが表す映像の時間に対する変化量を算出する。判定部６０は、映像の予め設定された指定領域について変化量を算出する。
【００３５】
指定領域は、監視者により予め設定される映像の一部を指定する領域である。
【００３６】
判定部６０は、変化量を算出する方法を複数有する。複数の変化量の算出の方法は、映像の複数の特徴の変化に対応する。
【００３７】
判定部６０は、算出した変化量に基づいてイベントが発生している期間を判定する。イベントが発生している期間は、当該期間の開始時点から終了時点までの間の期間である。判定部６０は、イベントが発生している期間の開始時点を判定した後に、算出した変化量に基づいて当該イベントが発生している期間の終了時点を判定する。
【００３８】
判定部６０は、算出した変化量の値が開始の閾値の値より大きくなった時点をイベントが発生している期間の開始時点として判定する。開始の閾値は、予め設定された値である。
【００３９】
判定部６０は、イベントが発生している期間の開始時点を判定した後に、算出した変化量の値が終了の閾値より小さくなった時点を当該期間の終了時点として判定する。終了の閾値は、予め設定された値である。終了の閾値は、開始の閾値以下の値である。
【００４０】
判定部６０は、イベントが発生している期間の開始時点を判定した後に、算出した変化量の値が終了の閾値以上である場合に、当該期間内であると判定する。
【００４１】
判定部６０は、イベント種別ごとにイベントが発生している期間の判定を行う。イベント種別は、発生している期間の判定に用いる変化量の算出方法、指定領域、開始の閾値および終了の閾値に基づいてイベントを分類する種別である。
【００４２】
判定部６０は、イベント種別の情報をイベント種別データとして記憶する。判定部６０は、イベント種別データをイベント種別番号と関連付けて記憶する。イベント種別番号は、イベント種別を識別する情報である。
【００４３】
判定部６０は、判定対象とするイベント種別のイベント種別番号を要素とするイベント種別リストを有する。判定部６０は、イベント種別リストのイベント種別全てについて、イベントが発生している期間の判定を行う。
【００４４】
イベント種別リストに格納されたイベント番号は、要素の添字番号で指定される。以降の他のリストについても、リストに格納された要素は、要素の添字番号で指定される。
【００４５】
判定部６０は、イベントが発生している期間の開始時点を判定した場合に、新たなイベント番号を取得する。イベント番号は、イベントを識別するイベント識別情報の例である。
【００４６】
イベントが発生している期間に対応する映像データの部分は、イベントが発生している映像を表す映像データである。イベントの開始フレーム番号は、当該映像データの部分の最初のフレームの番号である。イベントの終了フレーム番号は、当該映像データの部分の最後のフレームの番号である。イベントの開始フレーム番号および終了フレーム番号と、当該イベントが発生している映像を表す映像データのファイルがある場所の情報との組は、イベントが発生している期間に対応する映像データの部分を特定する情報の例である。
【００４７】
判定部６０は、イベントが発生している期間の終了時点を判定した場合に、イベントデータを送信する。イベントデータは、イベントのイベント番号と、当該イベントが発生している期間に対応する映像データの部分を特定する情報と、を含む。
【００４８】
イベント記憶部６１は、イベントデータを保存する。イベント記憶部６１は、判定部６０から受信したイベントデータを、当該イベントデータのイベント番号と関連付けて記憶する。
【００４９】
すなわち、イベント記憶部６１は、イベントが発生している期間に対応する映像データの部分を特定する情報を、当該イベントのイベント番号と関連付けて記憶する。
【００５０】
再生部６２は、監視者に選択された選択期間の間に発生しているイベントの一覧を作成する。
【００５１】
再生部６２は、選択期間の間に発生しているイベントのイベント番号を、イベント記憶部６１から取得する。再生部６２は、取得したイベント番号に基づいて、イベントデータをイベント記憶部６１から取得する。再生部６２は、取得したイベントデータに基づいて作成したイベントの一覧を表すデータを表示装置８に送信する。表示装置８は、受信したデータが表すイベントの一覧を表示する。
【００５２】
再生部６２は、イベントの一覧を作成するときに、取得したイベントの各々に対して監視支援データを作成する。監視支援データは、監視支援データを識別する監視支援番号を含む。
【００５３】
再生部６２は、監視支援データを作成するときに、監視支援番号を新たに取得する。再生部６２は、監視支援データを作成した後に、イベント番号と当該イベント番号で識別されるイベントに対応する監視支援データとを履歴記憶部６３に送信する。
【００５４】
履歴記憶部６３は、受信したイベント番号と監視支援データとを関連付けて記憶する。
【００５５】
再生部６２は、監視者に選択されたイベントに対応する映像データを表示装置８に送信する。
【００５６】
再生部６２は、イベントが監視者に選択された場合に、監視者に選択されたイベント番号に関連付けて記憶されているイベントデータをイベント記憶部６１から取得する。再生部６２は、取得したイベントデータに基づいて、当該イベントが発生している期間に対応する映像データの部分を、表示装置８に送信する。
【００５７】
すなわち、再生部６２は、イベントが監視者に選択された場合に、選択されたイベントのイベント番号に基づいて、当該イベント番号と関連付けて記憶され且つ当該イベントが発生している期間に対応する映像データの部分を、表示装置８に送信する。
【００５８】
再生部６２は、映像データの部分を表示装置８に送信するときに、当該映像データの部分が表す映像の指定領域に対応する位置に、当該イベントに対応する監視補助表示を重ねた映像を表す映像データを作成する。再生部６２は、作成したデータを表示装置８に送信する。
【００５９】
監視補助表示は、例えば、映像の中のイベントが発生している位置に表示されるマーカ画像である。マーカ画像は、映像の中のイベントが発生している位置に対応する座標を基準として、予め設定された相対座標の位置に表示される。
【００６０】
再生部６２は、イベントが発生している期間に対応する映像データの部分が表す映像を表示装置８に送信するときに、当該イベントの再生履歴データを作成する。
【００６１】
再生履歴データは、再生履歴データを識別する再生履歴番号と、再生部６２が対応する映像データの部分を表示装置８に送信した時刻と、を含む。再生部６２は、再生履歴データを作成するときに、再生履歴番号を新たに取得する。
【００６２】
再生部６２は、再生履歴データを作成した後に、対応するイベントのイベント番号と、当該イベントの再生履歴データと、を履歴記憶部６３に送信する。
【００６３】
履歴記憶部６３が記憶している監視支援データは、再生履歴番号のリストを含む。
【００６４】
履歴記憶部６３は、再生履歴データを保存する。すなわち、履歴記憶部６３は、受信した再生履歴データを記憶する。その後、履歴記憶部６３は、受信したイベント番号と関連付けて記憶している監視支援データの再生履歴番号のリストに、記憶した再生履歴データの再生履歴番号を追加する。
【００６５】
イベントが発生している期間に対応する映像データの部分を再生部６２が表示装置８に送信していない場合に、当該イベントに対応する監視支援データの再生履歴番号のリストは、要素を一つも含まない空のリストとなる。再生履歴番号のリストは、イベントが発生している期間に対応する映像データの部分を再生部６２が表示装置８に送信したか否かを表す情報の例である。
【００６６】
監視支援データは、再生履歴データを識別する情報である再生履歴番号のリストを含む。よって、監視支援データは、イベントが発生している期間に対応する映像データの部分を再生部６２が表示装置８に送信したか否かを表す情報を含む。
【００６７】
すなわち、履歴記憶部６３は、イベントが発生している期間に対応する映像データの部分を再生部６２が表示装置８に送信したか否かを表す情報を含む監視支援データを、当該イベントのイベント番号と関連付けて記憶する。
【００６８】
履歴管理部６４は、監視者によって入力装置９を介して行われる入力に基づいて、監視結果データを作成する。
【００６９】
監視結果データは、監視結果データを識別する監視結果番号を含む。監視結果データは、表示装置８に表示された当該イベントが発生している映像の目視による確認作業が監視者によって行われた後に、当該イベントにおける異常の有無について監視者が判断した結果を含む。監視結果データは、映像保存コードを含む。
【００７０】
映像保存コードは、当該イベントに対応する映像データの部分の保存の要否について監視者が判断した結果を表す。
【００７１】
履歴管理部６４は、監視結果データを作成するときに、監視結果番号を新たに取得する。履歴管理部６４は、監視結果データを作成した後に、対応するイベントのイベント番号と、当該イベントの監視結果データと、を履歴記憶部６３に送信する。
【００７２】
履歴記憶部６３が記憶している監視支援データは、監視結果番号のリストを含む。
【００７３】
履歴記憶部６３は、監視結果データを保存する。すなわち、履歴記憶部６３は、受信した監視結果データを記憶する。履歴記憶部６３は、受信したイベント番号と関連付けて記憶している監視支援データの監視結果番号のリストに、記憶した監視結果データの監視結果番号を追加する。
【００７４】
イベントが発生している映像の目視による確認作業の結果が入力されていない場合に、当該イベントに対応する監視支援データの監視結果番号のリストは、空のリストとなる。監視結果番号のリストは、イベントに対して監視者により行われた目視による確認作業の結果の情報の例である。監視支援データは、監視結果データを識別する情報である監視結果番号のリストを含む。
【００７５】
ダイジェスト映像処理部６５は、ダイジェスト映像データを作成する。
【００７６】
ダイジェスト映像処理部６５は、監視者に選択された選択期間の間に発生しているイベントのイベント番号をイベント記憶部６１から取得する。ダイジェスト映像処理部６５は、取得したイベント番号の各々に基づいて、イベントデータをイベント記憶部６１から取得する。ダイジェスト映像処理部６５は、取得したイベント番号の各々に基づいて、監視支援データを履歴記憶部６３から取得する。
【００７７】
ダイジェスト映像処理部６５は、取得した監視支援データの各々の映像保存コードに基づいて、取得したイベント番号の各々が対応する映像データの部分の保存の要否を判定する。ダイジェスト映像処理部６５は、保存が必要と判定された映像データの部分に対応するイベント番号を格納するイベントリストを作成する。
【００７８】
選択期間と映像保存コードとに基づくイベントリストの作成は、監視者による一つまたは複数のイベントの選択の例である。
【００７９】
ダイジェスト映像処理部６５は、イベントリストの要素の各々に識別されるイベントの各々について、当該イベントが発生している映像を表す映像データの部分をダイジェスト映像データとして結合させる。ダイジェスト映像処理部６５は、当該イベントの各々が発生している期間に重複する期間がある場合は、当該重複する期間に対応する映像データの部分は重複させずにダイジェスト映像データとして結合させる。ダイジェスト映像処理部６５は、イベントが発生していない期間に対応する映像データの部分は結合させない。
【００８０】
ダイジェスト映像処理部６５は、元の映像データにおけるイベントの開始フレーム番号および終了フレーム番号を、ダイジェスト映像データに結合されない期間に対応するフレームの数に基づいて補正する。ダイジェスト映像処理部６５は、当該補正によって、ダイジェスト映像データにおける当該イベントの開始フレーム番号および終了フレーム番号を算出する。ダイジェスト映像データにおけるイベントの開始フレーム番号および終了フレーム番号は、イベントが発生している期間に対応する当該ダイジェスト映像データの部分を特定する情報の例である。
【００８１】
ダイジェスト映像処理部６５は、アーカイブデータを作成する。アーカイブデータは、ダイジェスト映像データと、当該ダイジェスト映像データにおけるイベントの開始フレーム番号および終了フレーム番号とを含む。アーカイブデータは、イベントリストと、当該リストに格納されるイベント番号に関連付けて履歴記憶部６３に記憶されている監視支援データと、を含む。ダイジェスト映像処理部６５は、アーカイブデータを送信する。
【００８２】
ダイジェスト映像記憶部６６は、アーカイブデータを保存する。すなわち、ダイジェスト映像記憶部６６は、ダイジェスト映像処理部６５から受信したアーカイブデータを記憶する。その後、ダイジェスト映像記憶部６６は、記憶したアーカイブデータのダイジェスト映像データに、イベント番号を関連付ける。その後、ダイジェスト映像記憶部６６は、記憶したアーカイブデータのダイジェスト映像データに、イベントが発生している期間に対応する当該ダイジェスト映像データの部分を特定する情報を関連付ける。その後、ダイジェスト映像記憶部６６は、記憶したアーカイブデータのダイジェスト映像データに、監視支援データを関連付ける。
【００８３】
ダイジェスト映像データが表す映像の開始時点から終了時点までは、選択期間に含まれる。ダイジェスト映像処理部６５は、映像データの選択期間に対応する部分を、映像記憶装置３から削除する。
【００８４】
監視支援装置６は、監視者の情報を監視者データとして記憶する。監視支援装置６は、監視端末７を介して確認作業を行っている監視者を、監視者から送信される監視者番号によって識別する。
【００８５】
監視者番号は、目視による確認作業を行う監視者を識別する情報である。監視者番号は、例えば監視支援装置６の操作を行うために監視端末７との接続を開始するときに監視者から送信される。セッションは、監視支援装置６と監視端末７との接続が継続している期間である。監視支援装置６は、セッションが終了するまで、監視者番号を記憶する。
【００８６】
続いて、本実施の形態に係る監視支援装置の例について説明する。図３は、本実施の形態に係る監視支援装置の主要部のハードウェア構成を示す図である。
【００８７】
監視支援装置６の各機能は、処理回路により実現し得る。処理回路は、少なくとも１つのプロセッサ６ｂと少なくとも１つのメモリ６ｃとを備える。処理回路は、プロセッサ６ｂおよびメモリ６ｃと共に、或いはそれらの代用として、少なくとも１つの専用のハードウェア６ａを備えてもよい。
【００８８】
処理回路がプロセッサ６ｂとメモリ６ｃとを備える場合、監視支援装置６の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ６ｃに格納される。プロセッサ６ｂは、メモリ６ｃに記憶されたプログラムを読み出して実行することにより、監視支援装置６の各機能を実現する。
【００８９】
プロセッサ６ｂは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。メモリ６ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【００９０】
処理回路が専用のハードウェア６ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【００９１】
監視支援装置６の各機能は、それぞれ処理回路で実現することができる。或いは、監視支援装置６の各機能は、まとめて処理回路で実現することもできる。監視支援装置６の各機能について、一部を専用のハードウェア６ａで実現し、他部をソフトウェアまたはファームウェアで実現してもよい。このように、処理回路は、ハードウェア６ａ、ソフトウェア、ファームウェア、またはこれらの組み合わせで監視支援装置６の各機能を実現する。
【００９２】
続いて、映像の時間に対する変化量に基づいてイベントが発生している期間を判定する機能について説明する。変化量は、映像の予め設定された指定領域に基づいて算出される。図４は、本実施の形態に係る指定領域の設定画面の例を示す図である。
【００９３】
指定領域の設定画面は、表示装置８に表示され、入力装置９を介して監視者によって操作される。指定領域の設定画面は、背景画像８０とボックス８１とを表示する。
【００９４】
背景画像８０は、イベントが発生していない監視対象場所の画像である。背景画像８０は、例えば乗客のいないエレベータのかごの中の画像である。背景画像８０は、基準とする映像データの例である。
【００９５】
指定領域は、背景画像８０に重ねて表示されるボックス８１の内部である。ボックス８１は、アンカー８１ａを操作することで移動、拡大および縮小ができる。アンカー８１ａは、入力装置９を介して監視者によって操作される。背景画像８０および指定領域は、予め監視者によって設定される。
【００９６】
判定部６０は、映像データの受信元を、監視者による操作の入力に基づいて切り替える。判定部６０は、例えば通常の場合に、撮影装置２から映像データを受信する。判定部６０は、例えば過去の映像データからイベントが発生している期間を再度判定する場合に、映像記憶装置３から映像データを受信する。
【００９７】
判定部６０は、映像データが符号化されている場合は、変化量を算出する前に映像データの復号化を行う。
【００９８】
判定部６０は、撮影装置２から映像データを受信する場合に、複数の撮影装置２の各々から送信された映像データの各々に対してイベントが発生している期間の判定を行う。映像データを送信する撮影装置２の各々は、映像番号で識別される。
【００９９】
判定部６０は、映像データのフレームを順に作業領域に読み込む。作業領域は、例えばメモリ６ｃである。
【０１００】
判定部６０は、撮影装置２から映像データを受信する場合は、イベントが発生している期間を判定する動作を開始したときに撮影装置２が撮影したフレームから作業領域に読み込む。判定部６０は、映像記憶装置３から映像データを受信する場合は、映像データの最初のフレームから最後のフレームまでを作業領域に読み込む。
【０１０１】
判定部６０は、読み込んだフレームの各々に対して、変化量を算出する。
【０１０２】
判定部６０は、作業領域に読み込んだフレームと、背景画像８０とにおいて、各ピクセルの輝度情報の差分を算出する。判定部６０は、指定領域に対応するピクセルについて、算出した輝度情報の差分の絶対値の平均値を算出する。判定部６０は、算出した平均値を当該フレームの変化量とする。
【０１０３】
判定部６０は、変化量を算出するときに、変化位置の座標を算出する。判定部６０は、指定領域に対応するピクセルについて、背景画像８０との輝度情報の差分の絶対値を重みとして座標の重み付け平均を算出する。判定部６０は、算出した座標の重み付け平均を当該フレームの変化位置の座標とする。変化位置の座標は、映像の中のイベントが発生している位置に対応する座標の例である。
【０１０４】
続いて、イベントが発生している期間の判定方法について説明する。図５は、本実施の形態に係るイベント種別データの構造を示す図である。
【０１０５】
図５において、各項目の下に列挙した要素は、データの形式の例である。丸括弧は、要素の固定長の組を表す。角括弧は、リストまたは要素の可変長の組を表す。
【０１０６】
イベント種別データ７０は、イベント種別番号と、変化量算出方法番号と、開始の閾値と、終了の閾値と、指定領域とを含む。
【０１０７】
変化量算出方法番号は、判定部６０がフレームの変化量を算出する方法を識別する。
【０１０８】
判定部６０は、フレームの変化量が開始の閾値より大きくなった時点をイベントが発生している期間の開始時点と判定する。イベントが発生している期間の開始時点のフレームの変化量は、開始の閾値より大きい。イベントが発生している期間の開始時点のフレームの直前のフレームの変化量は、開始の閾値以下である。
【０１０９】
判定部６０は、フレームの変化量が開始の閾値より小さくなった時点をイベントが発生している期間の開始時点と判定する。イベントが発生している期間の終了時点のフレームの変化量は、終了の閾値より小さい。イベントが発生している期間の終了時点のフレームの直前のフレームの変化量は、終了の閾値以上である。
【０１１０】
判定部６０は、イベント種別データ７０に基づいてイベントが発生している期間の判定を行う。
【０１１１】
判定部６０は、イベント種別データ７０に含まれる変化量算出方法番号で識別される変化量算出方法を用いて、フレームの変化量を算出する。
【０１１２】
イベント種別データ７０は、監視種別番号と、マーカの相対座標と、マーカ画像データと、を更に含む。
【０１１３】
監視種別番号は、監視者がどのような映像の変化に注意して監視を行うべきかに基づいて確認作業を分類する番号である。監視種別番号は、監視者がイベント種別に応じて注意を向けるべき映像の特徴に注目できるように、イベント種別番号に関連付けられる。監視種別番号は、目視による確認作業の要否の情報を含む。
【０１１４】
マーカ画像データは、イベントが発生している映像に重ねて表示されるマーカ画像を表すデータである。
【０１１５】
マーカの相対座標は、イベントが発生している映像に重ねて表示されるマーカ画像の位置を指定するデータである。マーカの相対座標は、変化位置の座標を基準とする相対座標である。
【０１１６】
続いて、イベントデータについて説明する。図６は、本実施の形態に係るイベントデータの構造を示す図である。イベントデータ７１は、イベント番号と、イベント発生時刻と、イベント種別番号と、映像番号と、映像データのファイルのパスと、イベントが発生している期間の開始フレーム番号および終了フレーム番号と、を含む。イベントデータ７１は、開始フレームから終了フレームまでの変化量のリストおよび変化位置の座標のリストを含む。
【０１１７】
イベント発生時刻は、イベントが発生している期間の開始時点に対応するフレームが表す映像の時刻である。
【０１１８】
イベントデータ７１は、以下のように作成される。
【０１１９】
判定部６０は、イベントが発生している期間の開始時点を判定したときに、イベントデータ７１を新規に作成する。判定部６０は、イベント番号を新たに取得する。その後、判定部６０は、現在のフレームの番号を、開始フレーム番号として取得する。その後、判定部６０は、現在のフレームが表す映像の時刻をイベント発生時刻として取得する。その後、判定部６０は、変化量のリストと変化位置の座標のリストとを空のリストとしてそれぞれ作成する。その後、判定部６０は、変化量のリストに現在のフレームの変化量を追加する。その後、判定部６０は、変化位置の座標のリストに現在のフレームの変化位置の座標のリストを追加する。
【０１２０】
判定部６０は、イベントが発生している期間内であると判定したときに、イベントデータ７１に追記する。判定部６０は、現在のフレームの変化量を、変化量のリストに追加する。その後、判定部６０は、現在のフレームの変化位置の座標を、変化位置の座標のリストに追加する。
【０１２１】
判定部６０は、イベントが発生している期間の終了時点を判定したときに、イベントデータ７１に追記して保存する。判定部６０は、現在のフレームの番号を、終了フレーム番号として取得する。その後、判定部６０は、現在のフレームの変化量を、変化量のリストに追加する。その後、判定部６０は、現在のフレームの変化位置の座標を、変化位置の座標のリストに追加する。その後、判定部６０は、以上で取得または作製した情報と、発生している期間を判定したイベントのイベント種別番号と、判定を行った映像の映像番号と、映像データのファイルのパスとを組み合わせてイベントデータを作成する。
【０１２２】
判定部６０は、イベントデータ７１を作成した後に、イベントデータ７１をイベント記憶部６１に送信する。イベント記憶部６１は、受信したイベントデータ７１を保存する。
【０１２３】
続いて、イベントが発生している期間を判定する動作について説明する。図７は、本実施の形態に係る監視支援装置のイベントが発生している期間を判定する動作の例を示すフローチャートである。監視支援装置６は、複数の撮影装置２の各々から送信された映像データの各々に対して、図７に示す動作を行う。
【０１２４】
判定部６０は、受信した映像データからフレームを一つ作業領域に読み込む。その後、判定部６０は、現在の添字番号をイベント種別リストの先頭の要素に対応する添字番号に設定する（Ｓ１０１）。
【０１２５】
判定部６０は、イベント種別リストから現在の添字番号が指定するイベント種別番号を一つ取得する。その後、判定部６０は、取得したイベント種別番号に基づいて、イベント種別データ７０を読み込む。その後、判定部６０は、イベント種別データ７０の変化量算出方法番号と指定領域とに基づいて、作業領域に読み込んだフレームの変化量および変化位置の座標を算出する（Ｓ１０２）。
【０１２６】
判定部６０は、直前のフレームの変化量が開始の閾値以下であるかを判定する（Ｓ１０３）。判定結果がＹｅｓであるとき、監視支援装置６の動作はＳ１０４に進む。判定結果がＮｏであるとき、監視支援装置６の動作はＳ１０５に進む。
【０１２７】
判定部６０は、現在のフレームの変化量が開始の閾値より大きいかを判定する（Ｓ１０４）。判定結果がＹｅｓであるとき、監視支援装置６の動作はＳ１０６に進む。判定結果がＮｏであるとき、監視支援装置６の動作はＳ１０９に進む。
【０１２８】
判定部６０は、現在のフレームの変化量が終了の閾値より小さいかを判定する（Ｓ１０５）。判定結果がＮｏであるとき、監視支援装置６の動作はＳ１０７に進む。判定結果がＹｅｓであるとき、監視支援装置６の動作はＳ１０８に進む。
【０１２９】
判定部６０は、現在のフレームをイベントが発生している期間の開始時点であると判定する。判定部６０は、イベントデータ７１を新規に作成する（Ｓ１０６）。
【０１３０】
判定部６０は、現在のフレームをイベントが発生している期間内であると判定する。判定部６０は、イベントデータ７１に追記する（Ｓ１０７）。
【０１３１】
判定部６０は、現在のフレームをイベントが発生している期間の終了時点であると判定する。判定部６０は、イベントデータ７１に追記する。その後、イベント記憶部６１はイベントデータ７１を保存する（Ｓ１０８）。
【０１３２】
判定部６０は、現在の添字番号がイベント種別リストの末尾の添字番号であるかを判定する（Ｓ１０９）。判定結果がＮｏであるとき、現在の添字番号を次の添字番号とする。その後、監視支援装置６の動作は、Ｓ１０２に進む。判定結果がＹｅｓであるとき、判定部６０は、現在のフレームを次のフレームに設定する。その後、監視支援装置６の動作は、Ｓ１０１に進む。
【０１３３】
続いて、イベントの一覧を作成する機能について説明する。図８は、本実施の形態に係るイベントの一覧を表示する画面の例を示す図である。図８に示す画面の例は、例えばセッションが開始したときに表示装置８に表示される。
【０１３４】
イベントの一覧を表示する画面は、開始時刻入力欄８２ａと、終了時刻入力欄８２ｂと、一覧表示ボタン８３と、表示領域８４と、ダイジェスト映像作成ボタン８５と、連続再生ボタン８６と、を表示する。
【０１３５】
選択期間は、開始時刻および終了時刻が、開始時刻入力欄８２ａおよび終了時刻入力欄８２ｂに、監視者によって入力されることで設定される。
【０１３６】
選択期間の間に発生しているイベントは、例えば、当該イベントが発生している期間の開始時点に対応する時刻が選択期間の開始時刻以降であり、かつ、当該イベントが発生している期間の終了時点に対応する時刻が選択期間の終了時刻以前であるイベントである。
【０１３７】
イベントの一覧を作成する機能の動作は、一覧表示ボタン８３が監視者に押された場合に開始する。イベントの一覧が作成された場合に、表示装置８は、表示領域８４に作成されたイベントの一覧を表示する。
【０１３８】
表示領域８４は、選択期間の間に発生しているイベントの一覧を表示する。セッションが開始したときの表示領域８４は、空欄であってもよい。表示領域８４は、イベント番号に関連付けて記憶されている情報を表示する。表示領域８４は、例えば、監視支援番号と、イベント番号と、イベント発生時刻と、イベント種別番号と、映像番号と、再生履歴番号と、監視結果番号と、を表示する。表示領域８４は、再生ボタン８４ａと監視結果入力ボタン８４ｂとを表示する。
【０１３９】
イベントが発生している映像を表示装置に送信する機能の動作は、例えば当該イベントに対応する再生ボタン８４ａが監視者に押された場合に開始する。
【０１４０】
監視結果を入力する機能の動作は、例えば当該イベントに対応する監視結果入力ボタン８４ｂが監視者に押された場合に開始する。
【０１４１】
ダイジェスト映像データを作成する機能の動作は、例えばダイジェスト映像作成ボタン８５が監視者に押された場合に開始する。
【０１４２】
監視支援装置６は、複数のイベントに対して当該イベントの各々が発生している映像を連続して表示装置８に送信する機能を有してもよい。連続して表示装置８に送信する機能の動作は、例えば連続再生ボタン８６が監視者に押された場合に開始する。
【０１４３】
続いて、監視支援データについて説明する。図９は、本実施の形態に係る監視支援データの構造を示す図である。
【０１４４】
監視支援データ７２は、監視支援番号と、イベント番号と、監視種別番号と、再生履歴番号のリストと、監視結果番号のリストと、映像データへのリンク情報と、を含む。
【０１４５】
履歴記憶部６３は、監視支援データを保存する。すなわち、履歴記憶部６３は、監視支援番号とイベント番号とを相互に関連付けて記憶する。
【０１４６】
映像データへのリンク情報は、監視支援データに関連付けられたイベントについて、当該イベントが発生している期間に対応する映像データの部分を特定する情報である。映像データへのリンク情報は、例えば、当該イベントの開始フレーム番号および終了フレーム番号と、対応する映像データのパスとの組である。
【０１４７】
再生部６２は、監視支援データを次のように作成する。
【０１４８】
再生部６２は、イベント記憶部６１から、選択期間内に発生しているイベントのイベント番号と、当該イベント番号の各々に関連付けられているイベントデータ７１の各々を取得する。再生部６２は、取得したイベント番号を要素として格納するイベントリストを作成する。
【０１４９】
再生部６２は、取得したイベントデータ７１のイベント種別番号に基づいて、イベント種別データ７０を取得する。再生部６２は、取得したイベント種別データ７０に含まれる監視種別番号を取得する。再生部６２は、取得した監視種別番号に基づいて、目視による確認作業の要否を判定する。
【０１５０】
再生部６２は、目視による確認作業が必要であると判定した場合に、対応する監視支援データが既に作成されているかを判定する。再生部６２は、対応する監視支援データが作成されていないと判定した場合に、監視支援データの作成を開始する。
【０１５１】
再生部６２は、監視支援データの作成を開始したときに、監視支援番号を新たに取得する。その後、再生部６２は、再生履歴番号のリストを空のリストとして作成する。その後、再生部６２は、監視結果番号のリストを空のリストとして作成する。再生部６２は、取得したイベントデータ７１に基づいて、映像データへのリンク情報を作成する。
【０１５２】
再生部６２は、以上で取得または作成した情報を組み合わせて監視支援データ７２を作成する。再生部６２は、監視支援データを作成した後に、作成した監視支援データと、対応するイベント番号とを履歴記憶部６３に送信する。
【０１５３】
続いて、イベントの一覧を作成する動作について説明する。図１０は、本実施の形態に係る監視支援装置のイベントの一覧を作成する動作の例を示すフローチャートである。
【０１５４】
監視者は、選択期間を開始時刻入力欄８２ａおよび終了時刻入力欄８２ｂに入力する。その後、監視者は、一覧表示ボタン８３を押す。その後、監視支援装置６はイベントの一覧を作成する動作を開始する。
【０１５５】
再生部６２は、選択期間内に発生している全てのイベントのイベントリストを作成する。その後、再生部６２は、現在の添字番号をイベントリストの先頭の要素に対応する添字番号に設定する（Ｓ２０１）。
【０１５６】
再生部６２は、イベントリストから現在の添字番号が指定するイベント番号を一つ取得する。再生部６２は、取得したイベント番号に基づいて、イベントデータ７１をイベント記憶部６１から取得する（Ｓ２０２）。
【０１５７】
再生部６２は、取得したイベントデータ７１に基づいて、目視による確認作業が必要であるかを判定する（Ｓ２０３）。判定結果がＹｅｓであるとき、監視支援装置６の動作はＳ２０４に進む。判定結果がＮｏであるとき、監視支援装置６の動作はＳ２０６に進む。
【０１５８】
再生部６２は、現在のイベント番号に対応する監視支援データが既に作成されているかを判定する（Ｓ２０４）。判定結果がＮｏであるとき、監視支援装置６の動作はＳ２０５に進む。判定結果がＹｅｓであるとき、監視支援装置６の動作はＳ２０６に進む。
【０１５９】
再生部６２は、監視支援データを作成する。その後、再生部６２は、現在のイベント番号と作成した監視支援データを送信する。その後、履歴記憶部６３は、受信した監視支援データを保存する（Ｓ２０５）。
【０１６０】
再生部６２は、現在の添字番号がイベントリストの末尾の添字番号であるかを判定する（Ｓ２０６）。判定結果がＮｏであるとき、現在の添字番号を次の添字番号とする。その後、監視支援装置６の動作は、Ｓ２０２に進む。判定結果がＹｅｓであるとき、監視支援装置６の動作は、Ｓ２０７に進む。
【０１６１】
再生部６２は、イベントの一覧を表すデータを表示装置８に送信する。その後、表示装置８は、イベントの一覧を表示領域８４に表示する（Ｓ２０７）。
【０１６２】
続いて、イベントが発生している映像を表示装置に送信する機能について説明する。図１１は、本実施の形態に係る表示装置が表示するイベントが発生している映像の画面の例を示す図である。図１１に示す画面の例は、監視者によって再生ボタン８４ａが押されたときに表示装置８に表示される。
【０１６３】
映像表示画面は、監視画像８７と、マーカ画像８８と、ボックス８９と、を表示する。
【０１６４】
監視画像８７は、監視対象場所の状況を記録した映像データのフレームの各々が表す画像である。監視画像８７は、例えば乗客が乗っているエレベータのかごの中の画像などである。
【０１６５】
マーカ画像８８は、変化位置の座標を基準として、予め設定された相対座標の位置に監視画像に重ねて表示される。マーカ画像８８は、監視補助表示の例である。
【０１６６】
再生部６２は、表示領域８４に表示されたイベントの一覧の中から監視者に選択されたイベントのイベント番号に基づいて、当該イベントのイベントデータ７１をイベント記憶部６１から取得する。
【０１６７】
再生部６２は、取得したイベントデータのイベント種別番号に基づいて、判定部６０が記憶しているイベント種別データ７０を取得する。
【０１６８】
再生部６２は、作成した一覧の中から監視者に選択されたイベントのイベント番号に基づいて、当該イベントの監視支援データ７２を履歴記憶部６３から取得する。
【０１６９】
再生部６２は、取得したイベントデータ７１に基づいて、選択されたイベントが発生している期間に対応する映像データの部分の開始フレームから終了フレームまでを順に読み込む。
【０１７０】
再生部６２は、取得したイベントデータ７１に基づいて、読み込んだフレームに対応する変化位置の座標をマーカ画像が表示される位置の基準とする。再生部６２は、取得したイベント種別データ７０に含まれるマーカの相対座標に基づいて、マーカ画像が表示される位置を算出する。例えばマーカの相対座標が（０，０）である場合は、マーカ画像は、変化位置の座標に表示される。
【０１７１】
ボックス８９は、選択されたイベントが対応するイベント種別の指定領域の境界に表示される。ボックス８９は、監視補助表示の他の例である。
【０１７２】
再生部６２は、取得した監視支援データに基づいて監視補助表示の形態を変える。
【０１７３】
監視補助表示の形態は、例えば監視補助表示の色、透明度、大きさまたは線種である。
【０１７４】
再生部６２は、例えば、選択されたイベントの監視支援データの再生履歴番号のリストが空である場合は、ボックス８９の色を赤にする。再生部６２は、例えば、選択されたイベントの監視支援データの再生履歴番号のリストが空でない場合は、ボックス８９の色を青にする。
【０１７５】
続いて、再生履歴データについて説明する。図１２は、本実施の形態に係る再生履歴データの構造を示す図である。
【０１７６】
再生履歴データ７３は、再生履歴番号と、監視者番号と、イベント番号と、再生開始時刻と、再生開始フレームと、再生終了フレームとを含む。
【０１７７】
監視者番号は、目視による確認作業を行っている監視者に対応する監視者番号である。
【０１７８】
再生開始時刻は、監視者が確認作業を行うイベントを選択した時刻である。
【０１７９】
再生開始フレームの番号は、再生部６２が表示装置８に送信した最初のフレームの番号である。再生終了フレームの番号は、再生部６２が表示装置８に送信した最後のフレームの番号である。
【０１８０】
再生履歴データ７３は、以下のように作成される。
【０１８１】
再生部６２は、選択されたイベントが発生している期間に対応する映像データの部分の開始フレームを表示装置８に送信するときに、再生履歴番号を新たに取得する。その後、再生部６２は、再生開始フレームの番号を取得する。その後、再生部６２は、現在の時刻を再生開始時刻として取得する。その後、再生部６２は、現在のセッションでログインしている監視者の監視者番号を取得する。
【０１８２】
再生部６２は、当該映像データの部分の終了フレームを表示装置８に送信するときに、再生終了フレームの番号を取得する。
【０１８３】
再生部６２は、以上で取得した情報と、イベント番号とを組み合わせて再生履歴データ７３を作成する。
【０１８４】
再生部６２は、再生履歴データ７３を作成した後に、イベント番号と作成した再生履歴データ７３とを履歴記憶部６３に送信する。
【０１８５】
続いて、イベントが発生している映像を表示装置に送信する動作について説明する。図１３は、本実施の形態に係る監視支援装置のイベントが発生している映像を表示装置に送信する動作の例を示すフローチャートである。
【０１８６】
監視者は、再生ボタン８４ａを押すことで対応するイベントを選択する。再生ボタン８４ａが押された場合に、監視支援装置６は、選択されたイベントが発生している映像を表示装置８に送信する機能の動作を開始する。
【０１８７】
再生部６２は、選択されたイベントのイベント番号に基づいて、イベントデータおよび監視支援データを取得する。再生部６２は、現在のフレームを開始フレームに設定する（Ｓ３０１）。
【０１８８】
再生部６２は、取得した監視支援データ７２に基づいて、監視補助表示の形態を設定する（Ｓ３０２）。
【０１８９】
再生部６２は、現在のフレームを作業領域に読み込む（Ｓ３０３）。
【０１９０】
再生部６２は、作業領域に読み込まれたフレームが表す画像に重ねて、表示を設定した監視補助表示を書き込む（Ｓ３０４）。
【０１９１】
再生部６２は、作業領域に格納されているデータを表示装置８に送信する（Ｓ３０５）。
【０１９２】
再生部６２は、現在のフレームの番号が終了フレーム番号であるかを判定する（Ｓ３０６）。判定結果がＮｏであるとき、再生部６２は、現在のフレームを次のフレームに設定する。その後、監視支援装置６の動作は、Ｓ３０３に進む。判定結果がＹｅｓであるとき、再生部６２は、再生終了フレームの番号を取得する。その後、監視支援装置６の動作は、Ｓ３０７に進む。
【０１９３】
再生部６２は、再生履歴データ７３を作成する。その後、再生部６２は、再生履歴データ７３とイベント番号とを履歴記憶部６３に送信する。その後、履歴記憶部６３は、再生履歴データを保存する（Ｓ３０７）。
【０１９４】
続いて、目視による確認作業の結果を入力する機能について説明する。
【０１９５】
履歴管理部６４は、監視者による確認作業の結果の入力に基づいて、監視結果データを作成する。図１４は、本実施の形態に係る監視結果データの構造を示す図である。
【０１９６】
監視結果データ７４は、監視結果番号と、イベント番号と、監視者番号と、監視支援番号と、再生履歴番号のリストと、確認日時と、監視結果コードと、映像保存コードと、特記事項と、を含む。
【０１９７】
確認日時は、監視者によって確認作業の結果が入力された時刻である。
【０１９８】
監視結果コードは、表示装置８に表示された当該イベントが発生している映像の目視による確認作業が監視者により行われた後に、当該イベントにおける異常の有無について監視者によって判断された結果を表す情報の例である。監視結果番号は、目視確認作業の結果異常なしと監視者に判断された場合に、０が入力される。
【０１９９】
映像保存コードは、当該イベントに対応する映像データの部分をダイジェスト映像データとして結合して保存することの要否について監視者が判断した結果を表す。映像保存コードは、目視確認作業の結果映像データの当該部分を保存する必要がないと監視者に判断された場合に、０が入力される。
【０２００】
特記事項は、例えば監視者の判断の根拠など、監視結果についての説明を文字列データとして入力する自由記述項目である。
【０２０１】
続いて、目視による確認作業の結果を入力する機能の動作を説明する。
【０２０２】
監視者は、監視結果入力ボタン８４ｂを押すことで対応するイベントを選択する。監視結果入力ボタン８４ｂが押された場合に、監視支援装置６は、選択されたイベントに対する確認作業の監視結果を入力する機能の動作を開始する。
【０２０３】
監視支援装置６は、監視結果の入力を監視者に要求する。監視結果の入力の要求は、例えば対話式に行われる。監視支援装置６は、監視結果コード、映像保存コード、特記事項の順に一つずつ監視者へ入力を要求する。
【０２０４】
選択されたイベントに対する監視結果の入力が終了した場合に、履歴管理部６４は、監視結果データ７４を作成する。
【０２０５】
監視結果データ７４は、以下のように作成される。履歴管理部６４は、監視結果データ７４を作成するときに、監視結果番号を新たに取得する。履歴管理部６４は、選択されたイベントのイベント番号に基づいて、監視支援データ７２を履歴記憶部６３から取得する。履歴管理部６４は、取得した監視支援データ７２に含まれる監視支援番号を取得する。
【０２０６】
履歴管理部６４は、現在のセッションでログインしている監視者の監視者番号を取得する。履歴管理部６４は、現在のセッションで作成された再生履歴のうち、選択されたイベントが共通する再生履歴の再生履歴番号を取得する。
【０２０７】
履歴管理部６４は、現在の時刻を確認日時として取得する。
【０２０８】
履歴管理部６４は、監視者の入力に基づいて、監視結果コードと、映像保存コードと、特記事項と、を取得する。
【０２０９】
履歴管理部６４は、以上で取得した情報を組み合わせて、監視結果データ７４を作成する。
【０２１０】
履歴管理部６４は、監視結果データ７４を作成した後に、選択されたイベント番号と、作成した監視結果データを履歴記憶部６３に送信する。
【０２１１】
続いて、ダイジェスト映像データを作成する機能について説明する。
【０２１２】
図１５は、本実施の形態に係るダイジェスト映像データとして結合される期間の例を示す図である。図１５において、横軸は時間を表す。
【０２１３】
ダイジェスト映像処理部６５は、イベント記憶部６１から、選択期間内に発生しているイベントのイベント番号と、当該イベント番号の各々に関連付けられているイベントデータ７１の各々を取得する。ダイジェスト映像処理部６５は、取得したイベント番号を要素として格納するイベントリストを作成する。
【０２１４】
ダイジェスト映像処理部６５は、イベントリストに格納されたイベント番号の各々に関連付けて記憶されている監視支援データ７２の各々を、履歴記憶部６３から取得する。ダイジェスト映像処理部６５は、取得した監視支援データ７２の監視結果番号のリストに格納された監視結果番号に基づいて、履歴記憶部６３から監視結果データ７４を取得する。ダイジェスト映像処理部６５は、取得した監視結果データ７４の映像保存コードに基づいて、当該イベントに対応する映像データをダイジェスト映像データとして結合して保存することの要否を判定する。
【０２１５】
ダイジェスト映像処理部６５は、ダイジェスト映像データとして結合して保存することを要すると判定したイベントを、保存要のイベントとする。ダイジェスト映像処理部６５は、ダイジェスト映像データとして結合して保存することを要しないと判定したイベントを、保存不要のイベントとする。ダイジェスト映像処理部６５は、保存不要のイベントに対応するイベント番号をイベントリストから取り除く。イベントリストに格納されたイベント番号が表すイベントは、監視者に選択された一つまたは複数のイベントの例である。
【０２１６】
図１５において、両端に円を有する線分は、各々のイベントが発生している期間を表す。線分の左端は、当該イベントが発生している期間の開始時点を示す。線分の右端は当該イベントが発生している期間の終了時点を示す。両端に円を有する実線の線分は、保存要のイベント９０を表す。両端に円を有する破線の線分は、保存不要のイベント９１を表す。
【０２１７】
ダイジェスト映像処理部６５は、元の映像データについて、選択期間の開始時点に対応するフレーム番号から終了時点に対応するフレーム番号までを順に読み込む。ダイジェスト映像処理部６５は、読み込んだフレーム番号に対応する時点が保存要のイベント９０のいずれかが発生している期間内か否かを判定する。ダイジェスト映像処理部６５は、読み込んだフレーム番号に対応する時点が当該期間内であると判定した場合に、当該フレーム番号が指定するフレームをダイジェスト映像データとして結合する。
【０２１８】
これにより、ダイジェスト映像処理部６５は、保存要のイベント９０の各々が発生している期間に重複する期間がある場合は、当該重複する期間に対応する映像データの部分は重複させずにダイジェスト映像データとして結合させる。ダイジェスト映像処理部６５は、保存要のイベント９０が一つも発生していない期間に対応する映像データの部分は、ダイジェスト映像データとして結合させない。
【０２１９】
図１５において、両端にひし形を有する線分は、ダイジェスト映像処理部６５が作成するダイジェスト映像データに対応する保存期間９２を表す。保存期間９２は、選択された一つまたは複数のイベントが発生している期間を含む期間である。保存期間９２は、一つの連続した期間でなくてもよい。
【０２２０】
ダイジェスト映像処理部６５は、元の映像データから不連続な保存期間９２に対応する映像データを結合する場合に、ダイジェスト映像データにおけるフレーム番号が連続するようにフレーム番号を補正する。ダイジェスト映像処理部６５は、保存期間９２に含まれないフレームの数を、当該フレームより後のフレームのフレーム番号から引くことで補正を行う。ダイジェスト映像処理部６５は、取得したイベントデータ７１および再生履歴データ７３に含まれるフレーム番号のデータについても、同様にフレーム番号の補正を行う。割り当てを行ったフレーム番号は、ダイジェスト映像データにおけるフレーム番号である。
【０２２１】
ダイジェスト映像処理部６５は、保存要のイベント９０の開始時点の中の最も早い時点から、保存要のイベント９０の終了時点の中の最も遅い時点までを含む期間に対応する元の映像データの部分を、映像記憶装置３から削除する。
【０２２２】
図１５において、両端に三角形を有する線分は、ダイジェスト映像処理部６５が削除の対象とする削除期間９３を表す。ダイジェスト映像処理部６５は、削除期間９３を含む選択期間全体に対応する元の映像データの部分を、映像記憶装置３から削除してもよい。
【０２２３】
ダイジェスト映像処理部６５は、映像番号が異なる撮影装置２ごとにダイジェスト映像データを作成する。
【０２２４】
続いて、ダイジェスト映像データを作成する動作について説明する。図１６は、本実施の形態に係る監視支援装置のダイジェスト映像データを作成する動作の例を示すフローチャートである。監視支援装置６は、複数の撮影装置２の各々から送信された映像データの各々に対して、図１６に示す動作を行う。
【０２２５】
監視支援装置６は、ダイジェスト映像作成ボタン８５が監視者に押された場合に、ダイジェスト映像データを作成する機能を開始する。
【０２２６】
ダイジェスト映像処理部６５は、保存要のイベント９０のイベント番号を格納するイベントリストを作成する。その後、ダイジェスト映像処理部６５は、現在のフレーム番号を選択期間の開始時点に対応するフレーム番号に設定する。その後、ダイジェスト映像処理部６５は、出力用の作業領域を空にする（Ｓ４０１）。
【０２２７】
ダイジェスト映像処理部６５は、現在の添字番号をイベントリストの先頭の添字番号に設定する（Ｓ４０２）。
【０２２８】
ダイジェスト映像処理部６５は、現在の添字番号で指定されるイベント番号に関連付けられたイベントデータ７１から、開始フレーム番号と終了フレーム番号とを取得する。その後、ダイジェスト映像処理部６５は、フレーム番号の補正を行う（Ｓ４０３）。
【０２２９】
ダイジェスト映像処理部６５は、現在のフレーム番号が、取得した開始フレーム番号と終了フレーム番号とで指定される期間内であるかを判定する（Ｓ４０４）。判定結果がＹｅｓであるとき、監視支援装置６の動作は、Ｓ４０５に進む。判定結果がＮｏであるとき、監視支援装置６の動作は、Ｓ４０６に進む。
【０２３０】
ダイジェスト映像処理部６５は、現在のフレームを読み込み、補正したフレーム番号と共に出力用の作業領域に追加して書込む（Ｓ４０５）。
【０２３１】
ダイジェスト映像処理部６５は、現在の添字番号がイベントリストの末尾の添字番号であるかを判定する（Ｓ４０６）。判定結果がＮｏであるとき、現在の添字番号を次の添字番号とする。その後、監視支援装置６の動作は、Ｓ４０３に進む。判定結果がＹｅｓであるとき、監視支援装置６の動作は、Ｓ４０７に進む。
【０２３２】
ダイジェスト映像処理部６５は、保存期間９２に含まれないフレームの数を更新する（Ｓ４０７）。
【０２３３】
ダイジェスト映像処理部６５は、現在のフレーム番号が選択期間の終了時点に対応するフレーム番号であるかを判定する（Ｓ４０８）。判定結果がＮｏであるとき、現在のフレーム番号を次のフレーム番号に設定する。その後、監視支援装置６の動作は、Ｓ４０２に進む。判定結果がＹｅｓであるとき、監視支援装置６の動作は、Ｓ４０９に進む。
【０２３４】
ダイジェスト映像処理部６５は、出力用の作業領域に記憶されたフレームの内容をダイジェスト映像データとして結合する。その後、ダイジェスト映像処理部６５は、アーカイブデータを作成する。その後、ダイジェスト映像処理部６５は、作成したアーカイブデータを送信する。その後、ダイジェスト映像記憶部６６は、受信したアーカイブデータを保存する。その後、ダイジェスト映像処理部６５は、削除期間に対応する映像データの部分を映像記憶装置３から削除する（Ｓ４０９）。
【０２３５】
続いて、監視者データについて説明する。図１７は、本実施の形態に係る監視者データの構造を示す図である。監視支援装置６は、監視者データ７５を記憶する。監視者データは、監視者番号と監視者名とを含む。監視者データ７５は、監視者の所属、役職または監視の経験などの監視者の属性に関する情報を含んでもよい。
【０２３６】
以上に説明したように、監視支援システム４は、次のように監視者の確認作業を支援する。再生部６２は、監視者に選択されたイベント番号に基づいて、当該イベントが発生している期間に対応する映像データの部分を、表示装置８に送信する。表示装置８は、受信した映像データが表す映像を表示する。監視者は、表示装置８に表示された当該映像を対象として、目視による確認作業を行う。履歴記憶部６３は、監視支援データ７２を、イベント番号と関連付けて記憶する。監視支援データ７２は、当該映像データの部分を再生部６２が表示装置８に送信したか否かを表す情報である再生履歴データ７３を含む。すなわち、監視支援装置６は、イベントが発生している期間に対応する映像データの部分を監視者による確認作業の対象の単位となる部分として、当該部分ごとに映像データを細分化することなく、当該部分ごとに確認作業の実績の情報を記憶できる。
【０２３７】
判定部６０は、映像の時間に対する変化量に基づいて、イベントが発生している期間を判定する。監視支援装置６は、イベントが発生している映像を表す映像データを抽出する。これにより、監視者は、抽出されたイベントが発生している映像のみを対象として確認作業を行うことができる。したがって、監視者の目視による確認作業の負担が低減する。
【０２３８】
履歴記憶部６３は、監視結果データ７４を含む監視支援データ７２をイベント番号と関連付けて記憶する。履歴記憶部６３は、イベントが発生している期間に対応する映像データの部分ごとに映像データを細分化することなく、当該部分ごとに確認作業の結果の情報を記憶できる。これにより、複数の監視作業の結果の情報が散逸することが抑制される。したがって、監視者は、確認作業の結果の情報を容易に管理できる。
【０２３９】
履歴管理部６４は、監視者が入力装置９を介して自ら行う入力に基づいて監視結果データ７４を作成する。これにより、履歴記憶部６３が再生履歴データ７３のみを含む監視支援データを記憶する場合に比べ、監視支援装置６は、監視者が確認作業を実際に行ったか否かの情報の精度を向上できる。
【０２４０】
判定部６０は、変化量を映像の中の指定領域に基づいて算出する。これにより、監視者は、映像の中の確認作業の対象とする領域を柔軟に設定できる。また、監視者は、イベントごとに指定領域を設定することができる。これにより、履歴記憶部６３は、映像データの中の時間および領域が特定されたイベントごとに、監視者による確認作業の実績の情報が記憶できる。
【０２４１】
再生部６２は、イベントの映像にイベントが発生している領域およびイベント種別などの情報を表す監視補助表示を重ねたデータを表示装置８に送信する。これにより、監視支援システム４は、映像の中の着目すべき部分または領域を明確に監視者に示すことができる。したがって、確認作業において確認するべき事項を監視者が見落とす可能性が低減する。
【０２４２】
再生部６２は、監視補助表示の形態を監視支援データに基づいて変える。これにより、監視支援システム４は、未確認の映像データの部分または問題のあるイベントが発生している部分などの、確認作業において特に注意を要する部分を強調して監視者に示すことができる。したがって、確認作業において注意を要する部分を監視者が見落とす可能性が低減する。
【０２４３】
ダイジェスト映像処理部６５は、イベントが発生している期間に対応する映像データをダイジェスト映像データとして結合する。これにより、監視者は、まとめて複数のイベントの確認作業を行うことが容易にできる。
【０２４４】
ダイジェスト映像処理部６５は、映像記憶装置３からダイジェスト映像データとして結合した部分に対応する元の映像データの部分を削除する。これにより、監視システム１は、映像記憶装置３の記憶容量を有効に利用できる。
【０２４５】
ダイジェスト映像記憶部６６は、元の映像データから抽出したダイジェスト映像データと監視支援データ７２とを関連付けて記憶する。これにより、監視者は、ダイジェスト映像データが表す映像において発生している複数のイベントについて確認作業の実績の有無をまとめてチェックすることができる。したがって、確認作業の漏れの発生が低減する。また、監視支援システム４は、アーカイブデータに基づいて、ダイジェスト映像データにも監視補助表示を重ねて監視者に示すことができる。
【０２４６】
続いて、イベントが発生している映像を表示装置に送信する機能の他の例について説明する。図１８は、本実施の形態に係る表示装置が表示するイベントが発生している映像の画面の他の例を示す図である。
【０２４７】
監視支援装置６は、イベントが発生している映像を表示装置８に送信する機能の他の例として、連続再生機能を有してもよい。連続再生機能は、対象とする一つの撮影装置２が撮影した映像において、選択期間内に発生している複数のイベントが監視者に選択された場合の再生部６２の機能の例である。対象とする撮影装置２は、監視者に選択された映像番号で指定される。
【０２４８】
映像表示画面は、監視画像８７と、マーカ画像８８と、ボックス８９と、を表示する。映像表示画面は、複数のイベントが同時に発生している場合に、複数のイベントの各々に対してマーカ画像８８またはボックス８９を表示する。
【０２４９】
連続再生機能の動作は、連続再生ボタン８６が監視者に押された場合に開始する。
【０２５０】
再生部６２は、イベント記憶部６１から、選択期間内に発生している選択された映像番号のイベントのイベント番号と、当該イベント番号の各々に関連付けられているイベントデータ７１の各々を取得する。再生部６２は、取得したイベント番号を要素として格納するイベントリストを作成する。
【０２５１】
再生部６２は、取得したイベントデータ７１の各々に基づいて、各々のイベントの開始フレーム番号および終了フレーム番号を取得する。
【０２５２】
再生部６２は、取得したイベントデータの各々のイベント種別番号に基づいて、イベント種別データ７０の各々を取得する。
【０２５３】
再生部６２は、イベントリストに格納されたイベント番号の各々に基づいて、監視支援データ７２の各々を履歴記憶部６３から取得する。監視支援装置６は、イベントの一覧が作成されていない場合に、連続再生機能の動作を開始する前にイベントの一覧を作成する機能の動作を開始してもよい。
【０２５４】
再生部６２は、イベントリストに格納されるイベント番号と、取得した監視支援データ７２とに基づいて、選択期間内に発生しているイベントの各々について監視補助表示の形態を設定する。
【０２５５】
再生部６２は、選択期間の開始時点に対応するフレームから終了時点に対応するフレームまでを順に作業領域に読み込む。
【０２５６】
再生部６２は、選択期間の開始時点に対応するフレームを表示装置８に送信するときに、再生履歴番号を新たに取得する。その後、再生部６２は、再生開始フレームの番号を取得する。その後、再生部６２は、現在の時刻を再生開始時刻として取得する。その後、再生部６２は、現在のセッションでログインしている監視者の監視者番号を取得する。
【０２５７】
再生部６２は、選択期間の終了時点に対応するフレームを表示装置８に送信するときに、再生終了フレームの番号を取得する。
【０２５８】
再生部６２は、連続再生機能においては一度に複数のイベントの確認作業が行われるので、イベント番号の代わりにイベントリストを組み合わせて再生履歴データ７３を作成する。
【０２５９】
再生部６２は、再生履歴データ７３を作成した後に、イベントリストと作成した再生履歴データ７３とを履歴記憶部６３に送信する。
【０２６０】
履歴記憶部６３は、再生履歴データ７３を保存する。すなわち、履歴記憶部６３は、受信した再生履歴データ７３を記憶する。その後、履歴記憶部６３は、受信したイベントリストに格納されたイベント番号の各々に関連付けて記憶している監視支援データが含む再生履歴番号のリストに、記憶した再生履歴データが含む再生履歴番号を追加する。
【０２６１】
続いて、イベントが発生している映像を表示装置に送信の動作の他の例として、連続再生機能の動作を説明する。図１９は、本実施の形態に係る監視支援装置の連続再生機能の動作の例を示すフローチャートである。
【０２６２】
監視者は、対象とする映像番号を選択する。監視者は、連続再生ボタン８６を押すことで、選択期間内に発生している選択された映像番号のイベントを一括して選択する。連続再生ボタン８６が押された場合に、監視支援装置６は、連続再生機能の動作を開始する。
【０２６３】
再生部６２は、選択期間内に発生しているイベントのイベントリストを作成する。その後、再生部６２は、イベントリストのイベントの各々に対して、監視補助表示の形態を設定する。その後、再生部６２は、現在のフレームの番号を選択期間の開始時点に対応するフレームの番号に設定する（Ｓ５０１）。
【０２６４】
再生部６２は、現在のフレームを作業領域に読み込む。その後、再生部６２は、現在の添字番号をイベントリストの先頭の要素に対応する添字番号に設定する（Ｓ５０２）。
【０２６５】
再生部６２は、現在のフレームが現在の添字番号で指定されるイベントの期間内であるかを判定する（Ｓ５０３）。判定結果がＹｅｓであるとき、監視支援装置６の動作はＳ５０４に進む。判定結果がＮｏであるとき、監視支援装置６の動作はＳ５０５に進む。
【０２６６】
再生部６２は、作業領域に読み込まれたフレームが表す画像に重ねて、現在の添字番号で指定されるイベントの監視補助表示を書き込む（Ｓ５０４）。
【０２６７】
再生部６２は、現在の添字番号がイベントリストの末尾の添字番号であるかを判定する（Ｓ５０５）。判定結果がＮｏであるとき、再生部６２は、現在の添字番号を次の添字番号とする。その後、監視支援装置６の動作はＳ５０３に進む。判定結果がＹｅｓであるとき、監視支援装置６の動作はＳ５０６に進む。
【０２６８】
再生部６２は、作業領域に格納されているデータを表示装置８に送信する（Ｓ５０６）。
【０２６９】
再生部６２は、現在のフレームの番号が選択期間の終了時点に対応するフレーム番号であるかを判定する（Ｓ５０７）。判定結果がＹｅｓであるとき、監視支援装置６の動作は、Ｓ５０８に進む。判定結果がＮｏであるとき、再生部６２は、現在のフレームを次のフレームに設定する。その後、監視支援装置６の動作は、Ｓ５０２に進む。
【０２７０】
再生部６２は、再生履歴データ７３を作成する。その後、再生部６２は、再生履歴データ７３とイベントリストとを履歴記憶部６３に送信する。その後、履歴記憶部６３は、受信した再生履歴データ７３を保存する（Ｓ５０８）。
【０２７１】
なお、目視による確認作業の結果を入力する機能は、結果を入力する対象のイベントが発生している映像を表示装置８が表示している場合に、当該映像に重ねて表示されるマーカ画像８８が監視者に選択されたときに動作を開始してもよい。監視者による選択は、例えば入力装置９がマウスである場合に、監視者による監視補助表示のクリックであってもよい。
【０２７２】
本実施の形態は、判定部６０の変化量および変化位置の座標を算出する方法に限定されない。
【０２７３】
判定部６０は、背景画像８０との輝度情報の差分に代えて、直前のフレームとの輝度情報の差分を変化量の算出に用いてもよい。これによって、判定部６０は、映像の変化の速さをイベントの発生の判定に用いることができる。判定部６０は、映像中の人物の不自然な動きを確認作業の対象とする場合に、隣接するフレームとの差分を用いて変化量を算出してもよい。
【０２７４】
判定部６０は、映像データが符号化されている場合に、符号化されたデータを複号化せずに処理を行ってもよい。判定部６０は、離散コサイン変換の係数を変化量の算出に用いてもよい。これにより、判定部６０は、変化量を算出するときの復号化に係る処理が軽減できる。
【０２７５】
判定部６０は、周知の画像認識の技術により、特定の人物と映像の中の人物との顔の一致度を変化量として算出してもよい。判定部６０は、映像の中に複数人いる場合に、一致度の最大値を変化量としてもよい。これによって、判定部６０は、映像の中に特定の人物が映っているか否かをイベントが発生している期間の判定に用いることができる。
【０２７６】
判定部６０は、変化量を算出する方法を一つのみ有してもよい。
【０２７７】
変化量の算出における指定領域は、矩形領域に限定されない。指定領域は、３つ以上のアンカーを結ぶ線分で囲まれる閉じた領域でもよい。指定領域は、映像の中の一点から予め定められた長さの範囲の内側にある円形の領域でもよい。
【０２７８】
変化量は、指定領域に基づかずに算出されてもよい。すなわち、変化量は、映像データの領域全体についてのみ算出されてもよい。
【０２７９】
判定部６０は、変化量の値が開始の閾値より大きくなった時点より予め設定された時間だけ前の時点を、イベントが発生している期間の開始時点として判定してもよい。判定部６０は、変化量の値が終了の閾値より小さくなった時点より予め設定された時間だけ後の時点を、イベントが発生している期間の終了時点として判定してもよい。これにより、監視者は、映像に変化が発生している期間の前後の状況も含めて確認作業を行うことができる。
【０２８０】
再生部６２は、監視補助表示を映像に重ねて表示装置８に送信しなくてもよい。再生部６２は、監視者の操作により監視補助表示の表示または非表示を切り替えてもよい。
【０２８１】
再生部６２は、監視補助表示の形態を監視支援データに基づいて変更しなくてもよい。これにより、確認作業を行う際に監視支援データの内容が重要でない場合に、監視者は、映像に注意を集中できる。
【０２８２】
ダイジェスト映像処理部６５は、ダイジェスト映像データのみを作成してアーカイブデータを作成しなくてもよい。これにより、ダイジェスト映像データを作成する処理に係る負荷が低減する。
【０２８３】
ダイジェスト映像処理部６５は、ダイジェスト映像データを作成するときに、元の映像データを映像記憶装置３から削除しなくてもよい。
【０２８４】
ダイジェスト映像処理部６５は、一つのイベントに複数の監視結果データが対応し、かつ各々の映像保存コードが一致しない場合に、一つでも映像保存を要とするデータがあれば、映像保存を要として判定してもよい。
【０２８５】
ダイジェスト映像処理部６５は、イベント種別データまたは再生履歴データなどに基づいて映像保存の要否を判定してもよい。例えば、ダイジェスト映像処理部６５は、イベントに対応する再生履歴データが無い場合に、映像保存を要と判定してもよい。
【０２８６】
図２０は、本実施の形態の変形例に係る監視支援装置の構成を示すブロック図である。監視支援装置６は、ダイジェスト映像処理部６５を備えなくてもよい。これにより、映像記憶装置３の記憶容量が十分に確保できる場合、または映像データを長期保存しない場合に、監視支援システム４が簡単になりメンテナンス性が向上する。
【０２８７】
図２１は、本実施の形態の変形例に係る監視支援装置の構成を示すブロック図である。監視支援装置６は、履歴管理部６４を備えなくてもよい。これにより、再生履歴データの管理のみで十分である場合に、監視支援システム４が簡単になりメンテナンス性が向上する。
【０２８８】
図２２は、本実施の形態の変形例に係る監視支援装置の構成を示すブロック図である。監視支援装置６は、ダイジェスト映像処理部６５および履歴管理部６４の両方を備えなくてもよい。これにより、監視支援システム４が簡単になりメンテナンス性が向上する。
【０２８９】
監視支援装置６は、判定部６０およびイベント記憶部６１を備えなくてもよい。監視支援装置６は、他の監視支援システムまたは監視支援装置が作成したイベントデータに基づいて、監視支援データを作成および記憶してもよい。
【０２９０】
監視支援システム４は、バッファを介して装置または部分の間の通信を行ってもよい。バッファは、例えばメモリ６ｃである。例えば、映像記憶装置３がバッファに映像データを送信してもよい。判定部６０がバッファから当該映像データを受信してもよい。
【０２９１】
監視システム１は、撮影装置２を一つのみ備えてもよい。監視システム１は、撮影装置２を備えなくてもよい。監視システム１は、既に映像記憶装置３にファイルとして記憶されている他の監視システムで記録された映像データのみを対象としてもよい。
【０２９２】
監視システム１は、映像記憶装置３を備えなくてもよい。撮影装置２は、判定部６０に直接映像データを送信してもよい。イベント記憶部６１は、イベントが発生している期間に対応する映像データの部分を記憶してもよい。
【０２９３】
監視システム１は、監視端末７を備えなくてもよい。監視システム１は、撮影装置２と、映像記憶装置３と、監視支援装置６と、表示装置８と、入力装置９とが、ネットワーク５または監視端末７を介さずに接続されてもよい。監視システム１は、一つの場所に配置された単一の装置により実現されてもよい。
【０２９４】
本実施の形態に係る映像データは、フレームに連続する番号が付された形式に限定されない。映像データは、例えばＭＰＥＧ（Ｍｏｔｉｏｎ  Ｐｉｃｔｕｒｅ  Ｅｘｐｅｒｔ  Ｇｒｏｕｐ）−２またはＨ．２６４などの映像符号化方式で符号化された動画データの形式であってもよい。
【０２９５】
映像データの部分は、元の映像データと具体的なデータの形式が異なってもよい。映像データの部分は、ファイルとしては記憶されずに作業領域に一時的に記憶されるデータであってもよい。
【０２９６】
本実施の形態に係るデータの各々は、説明のために例示した構造に限定されない。本実施の形態に係るデータの各々は、適用するデータの種類、形式または規模に応じて、例えば関係データベースとして正規化されたデータであってもよい。
【０２９７】
本実施の形態に係るデータにおいて、イベント番号などのデータを識別する情報は、文字または数値からなるデータに限定されない。データを識別する情報は、当該データが記憶されているアドレスを示すデータであってもよい。
【産業上の利用可能性】
【０２９８】
本発明に係る監視支援装置および監視支援システムは、映像により遠隔で目視監視を行うシステムに適用できる。
【符号の説明】
【０２９９】
１  監視システム、  ２  撮影装置、  ３  映像記憶装置、  ４  監視支援システム、  ５  ネットワーク、  ６  監視支援装置、  ７  監視端末  、  ８  表示装置、  ９  入力装置、  ６０  判定部、  ６１  イベント記憶部、  ６２  再生部、  ６３  履歴記憶部、  ６４  履歴管理部、  ６５  ダイジェスト映像処理部、  ６６  ダイジェスト映像記憶部、  ６ａ  ハードウェア、  ６ｂ  プロセッサ、  ６ｃ  メモリ、  ７０  イベント種別データ、  ７１  イベントデータ、  ７２  監視支援データ、  ７３  再生履歴データ、  ７４  監視結果データ、  ７５  監視者データ、  ８０  背景画像、  ８１  ボックス、  ８１ａ  アンカー、  ８２ａ  開始時刻入力欄、  ８２ｂ  終了時刻入力欄、  ８３  一覧表示ボタン、  ８４  表示領域、  ８４ａ  再生ボタン、  ８４ｂ  監視結果入力ボタン、  ８５  ダイジェスト映像作成ボタン、  ８６  連続再生ボタン、  ８７  監視画像、  ８８  マーカ画像、  ８９  ボックス、  ９０  保存要のイベント、  ９１  保存不要のイベント、  ９２  保存期間、  ９３  削除期間
【図１】
2019053894.tif 000003
【図２】
2019053894.tif 000004
【図３】
2019053894.tif 000005
【図４】
2019053894.tif 000006
【図５】
2019053894.tif 000007
【図６】
2019053894.tif 000008
【図７】
2019053894.tif 000009
【図８】
2019053894.tif 000010
【図９】
2019053894.tif 000011
【図１０】
2019053894.tif 000012
【図１１】
2019053894.tif 000013
【図１２】
2019053894.tif 000014
【図１３】
2019053894.tif 000015
【図１４】
2019053894.tif 000016
【図１５】
2019053894.tif 000017
【図１６】
2019053894.tif 000018
【図１７】
2019053894.tif 000019
【図１８】
2019053894.tif 000020
【図１９】
2019053894.tif 000021
【図２０】
2019053894.tif 000022
【図２１】
2019053894.tif 000023
【図２２】
2019053894.tif 000024
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
映像データが表す映像の時間に対する変化量に基づいて発生している期間を判定されるイベントが監視者に選択された場合に、イベントを識別するイベント識別情報のうち監視者に選択されたイベントのイベント識別情報に基づいて、当該イベント識別情報と関連付けて記憶された前記映像データの部分であり且つ当該イベントが発生している期間に対応する前記映像データの部分を、受信した映像データが表す映像を表示する表示装置に送信する再生部と、
イベントが発生している期間に対応する前記映像データの部分を再生部が前記表示装置に送信したか否かを表す情報を含む監視支援データを、当該イベントのイベント識別情報と関連付けて記憶する履歴記憶部と、
を備え、
前記履歴記憶部は、イベントに対して監視者により行われた目視による確認作業の結果の情報を、当該イベントのイベント識別情報と関連付けて記憶される監視支援データに含めて記憶する監視支援装置。
【請求項２】
前記変化量を算出し、前記変化量に基づいてイベントが発生している期間を判定する判定部と、
前記判定部が判定した期間に対応する前記映像データの部分を特定する情報を、当該イベントのイベント識別情報と関連付けて記憶するイベント記憶部と、
を備える請求項１に記載の監視支援装置。
【請求項３】
前記判定部は、前記変化量が予め設定された値より大きくなった時点をイベントが発生している期間の開始時点と判定する請求項２に記載の監視支援装置。
【請求項４】
前記判定部は、前記変化量が予め設定された値より小さくなった時点をイベントが発生している期間の終了時点と判定する請求項２または請求項３に記載の監視支援装置。
【請求項５】
前記判定部は、前記映像の予め設定された指定領域について前記変化量を算出する請求項２から請求項４のいずれか一項に記載の監視支援装置。
【請求項６】
前記再生部は、イベントが発生している期間に対応する前記映像データの部分が表す映像の前記指定領域に対応する位置に、当該イベントに対応する監視補助表示を重ねた映像を表す映像データを、前記表示装置に送信する請求項５に記載の監視支援装置。
【請求項７】
前記再生部は、前記監視支援データに基づいて前記監視補助表示の形態を変える請求項６に記載の監視支援装置。
【請求項８】
監視者に選択された一つまたは複数のイベントが発生している期間をすべて含む期間に対応する前記映像データの部分をダイジェスト映像データとして結合させるダイジェスト映像処理部、
を備える請求項１から請求項７のいずれか一項に記載の監視支援装置。
【請求項９】
前記再生部は、映像記憶装置に記憶された映像データが表す映像において発生しているイベントのうち監視者に選択されたイベントのイベント識別情報に基づいて、当該イベント識別情報と関連付けて記憶された当該映像データの部分であり且つ当該イベントが発生している期間に対応する当該映像データの部分を前記表示装置に送信し、
前記ダイジェスト映像処理部は、前記ダイジェスト映像データが表す映像の開始時点から終了時点までを含む期間に対応する前記映像データの部分を、前記映像記憶装置から削除する請求項８に記載の監視支援装置。
【請求項１０】
ダイジェスト映像データに、イベントのイベント識別情報と、当該イベントが発生している期間に対応する当該ダイジェスト映像データの部分を特定する情報と、当該イベント識別情報に関連付けて前記履歴記憶部に記憶されている監視支援データと、を関連付けて記憶するダイジェスト映像記憶部を備える請求項８または請求項９に記載の監視支援装置。
【請求項１１】
受信した映像データが表す映像を表示する表示装置と、
映像データが表す映像の時間に対する変化量に基づいて発生している期間を判定されるイベントが監視者に選択された場合にイベントを識別するイベント識別情報のうち監視者に選択されたイベントのイベント識別情報に基づいて当該イベント識別情報と関連付けて記憶された前記映像データの部分であり且つ当該イベントが発生している期間に対応する前記映像データの部分を前記表示装置に送信し、イベントが発生している期間に対応する前記映像データの部分を前記表示装置に送信したか否かを表す情報を含む監視支援データを当該イベントのイベント識別情報と関連付けて記憶し、イベントに対して監視者により行われた目視による確認作業の結果の情報を、当該イベントのイベント識別情報と関連付けて記憶される監視支援データに含めて記憶する監視支援装置と、
を備える監視支援システム。
【手続補正２】
【補正対象書類名】明細書
【補正対象項目名】０００６
【補正方法】変更
【補正の内容】
【０００６】
本発明に係る監視支援装置は、映像データが表す映像の時間に対する変化量に基づいて発生している期間を判定されるイベントが監視者に選択された場合にイベントを識別するイベント識別情報のうち監視者に選択されたイベントのイベント識別情報に基づいて当該イベント識別情報と関連付けて記憶された映像データの部分であり且つ当該イベントが発生している期間に対応する映像データの部分を受信した映像データが表す映像を表示する表示装置に送信する再生部と、イベントが発生している期間に対応する映像データの部分を再生部が表示装置に送信したか否かを表す情報を含む監視支援データを当該イベントのイベント識別情報と関連付けて記憶する履歴記憶部と、を備え、履歴記憶部は、イベントに対して監視者により行われた目視による確認作業の結果の情報を、当該イベントのイベント識別情報と関連付けて記憶される監視支援データに含めて記憶する。
【手続補正３】
【補正対象書類名】明細書
【補正対象項目名】０００７
【補正方法】変更
【補正の内容】
【０００７】
本発明に係る監視支援システムは、受信した映像データが表す映像を表示する表示装置と、映像データが表す映像の時間に対する変化量に基づいて発生している期間を判定されるイベントが監視者に選択された場合にイベントを識別するイベント識別情報のうち監視者に選択されたイベントのイベント識別情報に基づいて当該イベント識別情報と関連付けて記憶された映像データの部分であり且つ当該イベントが発生している期間に対応する映像データの部分を表示装置に送信し、イベントが発生している期間に対応する映像データの部分を表示装置に送信したか否かを表す情報を含む監視支援データを当該イベントのイベント識別情報と関連付けて記憶し、イベントに対して監視者により行われた目視による確認作業の結果の情報を、当該イベントのイベント識別情報と関連付けて記憶される監視支援データに含めて記憶する監視支援装置と、を備える。
【国際調査報告】
2019053894.tif 000025
2019053894.tif 000026
2019053894.tif 000027
2019053894.tif 000028